(57)【要約】【課題】施工現場において手軽に雨水等の滞留水の排水を行なうことができる排水装置を提供する【解決手段】小型送風機によりパイプ内に送風することにより得られる負圧を利用して滞留水を排水する排水装置１であって、小型送風機の吹出口Ａに接続される送風パイプ２と、送風パイプ２に接続される吸排水パイプ３と、を備え、送風パイプ２の先端側には、吸排水パイプ３よりも小径の挿入パイプ２１が形成されて吸排水パイプ３内に挿入され、送風パイプ２の挿入パイプ２１が挿入されている吸排水パイプ３のいずれかの位置に、吸水口３１が形成されるとともに、吸排水パイプ３の先端が排水口３２とされてなる。【選択図】  図１
2005200908.tif 000002
【特許請求の範囲】
【請求項１】
小型送風機によりパイプ内に送風することにより得られる負圧を利用して滞留水を排水する排水装置であって、
小型送風機の吹出口に接続される送風パイプと、送風パイプに接続される吸排水パイプと、を備え、
送風パイプの先端側には、吸排水パイプよりも小径の挿入パイプが形成されて吸排水パイプ内に挿入され、
送風パイプの挿入パイプが挿入されている吸排水パイプのいずれかの位置に、吸水口が形成されるとともに、吸排水パイプの先端が排水口とされたことを特徴とする排水装置。
【発明の詳細な説明】
【技術分野】
【０００１】
本発明は、排水装置に関し、特に、建築中の建造物の基礎内部の滞留水を排出するための排水装置に関する。
【背景技術】
【０００２】
一般に、建造物の基礎内部の土間は、土間コンクリートで固められており、施工中に雨が降った場合には、雨水が地面に染み込まず、土間コンクリート上に滞留した状態となる。
【０００３】
このような滞留水は、通常、水中ポンプを使用して排出するか、若しくは、スポンジや布等で吸い取ることにより、作業中にかき出している。
【０００４】
しかし、水中ポンプを使用する場合、水中ポンプの重量が大きいために、施工現場に搬入するのは困難である。また、吸い込み時に空気が混入すると吸水できなくなるので、水量が少なくなると使用することができない。
【０００５】
一方、スポンジ等により水を吸い取る場合は、作業者の手作業によるため、通常の施工作業が滞ってしまう。
【０００６】
また、掃除機等のような吸引装置を用いて、直接水を吸い上げて外部に排水する吸水装置が創案されている（例えば、特許文献１、２参照。）。
【特許文献１】特開２００２−６５５２１号公報
【特許文献２】特開２００３−２２５１８２号公報
【発明の開示】
【発明が解決しようとする課題】
【０００７】
上記した特許文献１および２記載の吸水装置では、吸引装置を利用して滞留水を吸水するため、吸い込んだ水を貯水するためのタンクが必要で、タンクの清掃などのメンテナンスが必要となり、手間がかかる。
【０００８】
本発明は、上記従来の問題点を解決すべく創案されたもので、施工現場において手軽に雨水等の滞留水の排水を行なうことができる排水装置を提供するものである。
【課題を解決するための手段】
【０００９】
上記の目的を達成するため、本発明に係る排水装置は、小型送風機によりパイプ内に送風することにより得られる負圧を利用して滞留水を排水する排水装置であって、小型送風機の吹出口に接続される送風パイプと、送風パイプに接続される吸排水パイプと、を備え、送風パイプの先端側には、吸排水パイプよりも小径の挿入パイプが形成されて吸排水パイプ内に挿入され、挿入パイプが挿入されている吸排水パイプのいずれかの位置に、吸水口が形成されるとともに、吸排水パイプの先端が排水口とされたことを特徴とする。
【００１０】
この発明によれば、小型送風機により排出される空気は、送風パイプから吸排水パイプ内に送られる。また、吸排水パイプにおいて、挿入パイプが挿入されている部分は、挿入パイプと吸排水パイプとの二重構造となっており、かつ、吸水口が、この二重構造となっている部位に形成されているので、挿入パイプから排出される空気が、吸排水パイプ内を排水口方向に流れる。このため、吸排水パイプ内に負圧が発生し、吸水口に吸引力が発生するので、吸水口近傍の滞留水を吸引することができる。そして、吸排水パイプ内を排水口方向に空気が流れているので、吸引した滞留水を空気とともに、排水口から排出することができる。
【００１１】
このように、この排水装置によれば、自動的かつ連続的に、滞留水を排出することができ、滞留水が少量になっても、空気とともに吸水口から吸引するため、滞留水がなくなるまで、排水することができる。
【００１２】
また、この排水装置は、小型送風機と、送風パイプと、吸排水パイプで構成されているので、構造が簡単で、軽量である。さらに、小型送風機は、施工現場に通常備えているものであり、パイプは簡単に調達できるものであるから、現場で組み立てて、手軽に滞留水を排水することができ、安価である。さらにまた、吸引した水を貯水する装置を必要としないので、貯水タンクのメンテナンス等が不要である。
【発明の効果】
【００１３】
本発明に係る排水装置によれば、施工現場において、手軽に雨水等の滞留水の排水を行なうことができる。
【発明を実施するための最良の形態】
【００１４】
以下、本発明の実施の形態について図を参照して説明する。
【００１５】
図１および図２には、本発明の排水装置１の実施例が示されている。
【００１６】
この排水装置１は、小型送風機の吹出口Ａに接続される送風パイプ２と、送風パイプ２に接続される吸排水パイプ３と、から主要部が構成されている。
【００１７】
小型送風機は、市場に出回っているポータブルタイプのブロアであって、施工現場等において、泥やホコリ等を吹き飛ばして掃除等をするために、通常備えられているものである。
【００１８】
送風パイプ２は、小型送風機に接続されるパイプ本体２０と、吸排水パイプ３よりも小径でパイプ本体２０と一体に連結される挿入パイプ２１とからなっている。
【００１９】
吸排水パイプ３は、接続部分が密閉されるように、送風パイプ２と接続されており、基端部に、送風パイプ２の挿入パイプ２１が挿入されている。
【００２０】
また、吸排水パイプ３において、送風パイプ２の挿入パイプ２１が挿入されているいずれかの位置に、吸水口３１が形成されている。
【００２１】
さらに、吸排水パイプ３の先端は、自由端であって、排水口３２とされている。
【００２２】
なお、吸排水パイプ３は、基礎の床下換気口から排水口３２を引き出して、基礎の外部へ排水できるように、十分な長さを有するのが望ましい。
【００２３】
送風パイプ２と、吸排水パイプ３との接続部分には、この接続部分を包囲する外パイプ４が設けられている。
【００２４】
外パイプ４には、吸排水パイプ３と対向する延長方向に１本、および吸排水パイプ３と直交する方向に２本の合計３本の支持脚５が取り付けられている。これら支持脚５により、排水装置１を安定して、基礎の土間コンクリート等に載置することができる。
【００２５】
なお、支持脚５は、排水装置１を基礎の土間コンクリート等に載置したときに、吸水口３１が土間コンクリート上面に向くように取り付けられている。
【００２６】
また、外パイプ４の形状や、支持脚５の本数は、上記したものに限定されるものではない。
【００２７】
次に上記した排水装置１の使用方法について説明する。
【００２８】
まず、使用者は、雨水等が溜まった基礎の土間コンクリートに排水装置１を載置する。この際、基礎の床下換気口から吸排水パイプ３の排水口３２を引き出すようにする。
【００２９】
そして、小型送風機を送風パイプ２に差し込んで、小型送風機と送風パイプ２との間が密閉されるように接続する。
【００３０】
次いで、小型送風機を稼動させて、送風パイプ２に送風する。このように送風パイプ２に送風すると、図１中の白抜き矢印で示したように、送られた空気が、パイプ本体２０から挿入パイプ２１を経て、吸排水パイプ３に達し、吸排水パイプ３内を排水口３２に向かって流れる。
【００３１】
このとき、吸排水パイプ３内の圧力が、空気が流れることによって下がり、その結果、吸水口３１の周囲に負圧が発生するため、吸水口３１には上方向に吸引力が生じる。したがって、図１中の黒塗り矢印で示したように、土間コンクリート上の滞留水が吸い上げられて、吸排水パイプ３内に吸引される。この吸排水パイプ３内に吸引された滞留水は、吸排水パイプ３内の空気の流れによって、排水口３２から空気とともに、基礎の床下換気口の外部へと排出される。
【産業上の利用可能性】
【００３２】
本発明は、基礎の土間コンクリート上に溜まった雨水等の滞留水を、手軽に排出することが可能な排水装置に適用できる。
【図面の簡単な説明】
【００３３】
【図１】本発明に係る排水装置の使用状態を示す模式図である。
【図２】本発明に係る排水装置を示す斜視図である。
【符号の説明】
【００３４】
１      排水装置
２      送風パイプ
２１    挿入パイプ
３      吸排水パイプ
３１    吸水口
３２    排水口
Ａ      小型送風機の吹出口
【図１】
2005200908.tif 000003
【図２】
2005200908.tif 000004